(57)【要約】【課題】メモリキーヤにおいて、予め記憶させておいた各電文の記憶領域に対して付与するラベルを、簡単な操作で内容を想起させやすいものに設定すること。【解決手段】本発明では、複数のファンクションキーのそれぞれ毎に対応する記憶領域を割り当て、各ファンクションキーを操作することによって、対応する記憶領域に予め記憶された電文情報を、キーイングデータとして送出するように構成したメモリキーヤにおいて、各ファンクションキーＦ１，Ｆ２，Ｆ３，Ｆ４，Ｆ５に対応して、それぞれ登録された電文中の先頭から３文字を副表示部４２に表示するように構成した。【選択図】　　　　　　図１
2004056722.tif 000002
【特許請求の範囲】
【請求項１】
複数のキー操作のそれぞれ毎に対応する記憶領域を割り当て、各キー操作を行うことによって、対応する記憶領域に予め記憶された電文情報を、キーイングデータとして送出するように構成したメモリキーヤにおいて、
各キー操作に対応して、それぞれ所定数の文字情報を表示する表示手段を設け、該表示手段においては、各キー操作に対応する記憶領域に記憶された電文情報中の所定数の文字情報を表示するように構成したことを特徴とするメモリキーヤ。
【請求項２】
表示手段においては、各キー操作に対応する記憶領域に記憶された電文情報中の先頭から所定数の文字情報を表示するように構成したことを特徴とする請求項１に記載のメモリキーヤ。
【請求項３】
各キー操作に対応する記憶領域に記憶された電文情報中の所望の文字情報を選択する選択手段を設け、
表示手段においては前記選択手段にて選択された文字情報を表示するように構成したことを特徴とする請求項１に記載のメモリキーヤ。
【発明の詳細な説明】
【０００１】
【発明の属する技術分野】
本発明は、予め記憶させておいた電文情報をモールス符号等によるキーイングデータとして送出する機能に関するものである。
【０００２】
【従来の技術】
従来より、モールス符号により電文を送出する機能を有する通信装置においては、複数の異なる内容の電文を、個別のメモリ領域に予め記憶させておき、必要なときに、前記電文を呼び出して送出する機能（所謂メモリキーヤ）を備えている。
そして、記憶領域を識別するために予め設定された記号を用いるものもあるが、そのような記号は電文の内容を想起させるものではないので、電文の内容を確認し難いという問題があった。
そこで、予め記憶させておいた電文の内容を確認しやすくするために、各電文の記憶領域に対して内容を想起させやすい任意のラベルを付与して、呼び出すときには前記ラベルを表示させて内容を把握するように構成されたものがある。
【０００３】
【発明が解決しようとする課題】
ところが、上述したような記憶領域に解りやすいラベルを付与するためには、表示させるべきラベルを入力して登録する必要があるので、ラベルの登録作業が面倒であった。
【０００４】
そこで、本発明は、予め記憶させておいた各電文の記憶領域に対して付与するラベルを、簡単な操作で内容を想起させやすいものに設定する機能を有したメモリキーヤを提供することを目的としてなされたものである。
【０００５】
【課題を解決するための手段】
本発明にかかる請求項１のメモリキーヤでは、
複数のキー操作のそれぞれ毎に対応する記憶領域を割り当て、各キー操作を行うことによって、対応する記憶領域に予め記憶された電文情報を、キーイングデータとして送出するように構成したメモリキーヤにおいて、
各キー操作に対応して、それぞれ所定数の文字情報を表示する表示手段を設け、該表示手段においては、各キー操作に対応する記憶領域に記憶された電文情報中の所定数の文字情報を表示するように構成した。
なお、前記文字情報には、文字・記号・数字に対応する情報も含むものである。
請求項２では、表示手段においては、各キー操作に対応する記憶領域に記憶された電文情報中の先頭から所定数の文字情報を表示するように構成した。
請求項３では、各キー操作に対応する記憶領域に記憶された電文情報中の所望の文字情報を選択する選択手段を設け、表示手段においては前記選択手段にて選択された文字情報を表示するように構成した。
【０００６】
以上の構成の請求項１のメモリキーヤでは、各キー操作に対応して、それぞれ所定数の文字情報を表示する表示手段を設け、該表示手段においては、各キー操作に対応する記憶領域に記憶された電文情報中の所定数の文字情報を表示するように構成したので、表示手段において表示されている文字情報から容易に電文の内容が想起される。
請求項２では、表示手段においては、各キー操作に対応する記憶領域に記憶された電文情報中の先頭から所定数の文字情報を表示するように構成したので、表示手段において表示されている文字情報から容易に電文の内容が想起される。
請求項３では、各キー操作に対応する記憶領域に記憶された電文情報中の所望の文字情報を選択する選択手段を設け、表示手段においては前記選択手段にて選択された文字情報を表示するように構成したので、表示手段において表示されている文字情報から容易に電文の内容が想起される。
【０００７】
【発明の実施の形態】
以下に、本発明にかかるメモリキーヤを、その実施の形態を示した図面に基づいて詳細に説明する。
【０００８】
１は電文情報を入力する機能を有するエレクトロニックキーヤであり、所定のキー操作を行うことによって、そのキー操作に対応した機能を呼び出すこともできる。
２は前記エレクトロニックキーヤ１の操作に応じて、電文情報に変換したり、所定の機能を呼び出して処理する制御装置である。
３は複数の電文情報を記憶するメモリであり、複数の記憶領域Ｒ１，Ｒ２，Ｒ３，Ｒ４，・・・・が設定されている。
４は各種操作情報等を表示する表示部であり、運用周波数情報や、信号レベル等を表示する主表示部４１と、各種操作メニューや操作情報を表示する副表示部４２とを備えている。
５は前記副表示部４２に隣接して配設されたファンクションキー部であり、複数のファンクションキーＦ１，Ｆ２，Ｆ３，Ｆ４，Ｆ５から構成されている。
６はキー入力部であり、モード選択キー６１と、メニューキー６２、およびその他のキーを備えている。
なお、前記メモリ３が記憶領域に対応し、前記表示部４、副表示部４２が表示手段に対応し、前記ファンクションキー部５が選択手段に対応している。
【０００９】
上記構成において、
まず、モード選択キー６１を操作してＣＷモードに移行させ、メニューキー６２を操作して「メニュー１」を呼び出す。「メニュー１」では、図２（ａ）に示したように、副表示部４２にメニュー１の項目として「ＡＧＣ」，「ＤＵＰ」，「１／４」，「ＫＥＹ」，「ＳＣＰ」が表示される。
これらの５つの項目は前記５つのファンクションキーＦ１，Ｆ２，Ｆ３，Ｆ４，Ｆ５のそれぞれに対応する位置に表示される。
【００１０】
次に、表示されたメニュー項目に対応するファンクションキーを操作するとそのメニューが呼び出される。例えば、メニュー項目「ＫＥＹ」に対応したファンクションキーＦ４を操作すると図２（ｂ）に示したように、「メモリキーヤメニュー」が呼び出される。
「メモリキーヤメニュー」においては、副表示部４２には「ＳＮＤ」，「ＥＤＴ」，「００１」，「ＳＥＴ」という４つのメニューが表示される。
【００１１】
「メモリキーヤメニュー」において、「ＳＮＤ」メニューに対応したファンクションキーＦ２を操作すると図２（ｃ）もしくは図２（ｄ）に示したように送出メニューが呼び出され、「ＥＤＴ」メニューに対応したファンクションキーＦ３を操作すると図２（ｅ）に示したように編集メニューが呼び出され、「ＳＥＴ」メニューに対応したファンクションキーＦ５を操作すると図２（ｆ）に示したようにキーヤセットメニューが呼び出される。
【００１２】
以下に、定型の電文をメモリキーヤに登録する操作を説明する。
「メモリキーヤメニュー」において、編集（ＥＤＴ）メニューを呼び出して、ファンクションキーＦ１を押して登録したい記憶領域を選択する。ファンクションキーＦ１を押す毎に記憶領域が順次切り換わる。
メインダイヤルもしくはテンキーを操作してアルファベットと記号と数字の中から所望の文字を選んで入力する。なお、エレクトロニックキーヤからも文字・記号・数字を入力することができる。
そして、文字・記号・数字を入力する位置はファンクションキーＦ２またはファンクションキーＦ３を押すことによって指定する。また、ファンクションキーＦ５を押すことによって空白を入力することができる。
このようにして所望の電文を入力後、メニューキー６２を２回押してメニュー１に戻る。
【００１３】
次に、副表示部４２において表示する文字情報の設定操作を、フローチャート（図３）を参照して説明する。この設定操作によって、各記憶領域を識別するために表示する文字情報を設定するのである。
まず、図２（ｆ）に示したようにキーヤセットメニューを呼び出し、ファンクションキーＦ１、Ｆ２を操作して、多数のキーヤセットメニューの中から表示形式設定（ＭｓｇＤＩＳＰＬＡＹ）メニューを呼び出す。（ステップＳ１）
更に、何れかのファンクションキーを操作して、以下の３つの項目の何れかを選択する。（ステップＳ２）
「ｎ」：単なる記号で表示。例、Ｍ１，Ｍ２，Ｍ３，・・・
「３」：電文の先頭から３文字を表示。
「Ｘ」：電文の途中の連続する３文字を表示。
【００１４】
そして、『「Ｘ」：電文の途中の連続する３文字を表示。』を選択した場合には、表示位置選択メニューが呼び出される。（ステップＳ３）
表示位置選択メニューにおいては、何れかのファンクションキーを操作して、３文字分の領域が例えば反転表示されるカーソルを所望の位置に移動させ、表示された電文中の所望の位置の連続する３文字を選択する。（ステップＳ４）このように、所望の位置からの３文字を選択することによって、電文の中の最も特徴的な文字が連続する位置を選択・表示できる。
以上の手順を制御するプログラムは前記制御部２に書き込まれている。
このようにして選択された位置からの３文字を、ファンクションキーに対応した記憶領域の電文を識別する文字情報として表示することができる。
【００１５】
以上のようにして登録した電文を送出するときには、「メモリキーヤメニュー」から送出「ＳＮＤ」メニューを呼び出す。（図２（ｃ），（ｄ）を参照。）
このとき、副表示部４２には、各記憶領域に登録された電文と関連付けられた文字情報が表示されている。
この副表示部４２に表示する文字情報としては、次のような３つのパターンがある。
Ａ：単なる識別記号。例えば、Ｍ１，Ｍ２，Ｍ３，・・・（図２（ｃ））
Ｂ：登録された電文の先頭からの３文字。　　　　　　（図２（ｄ））
Ｃ：登録された電文の途中の３文字。
以上の３つのパターンにおいて、Ｂ、Ｃのパターンの場合には、電文の内容を想起しやすいという特徴がある。
【００１６】
ファンクションキーの何れかを押すと、そのキーに対応したメモリキーヤの電文情報がキーイングデータとして自動的に送出される。そのファンクションキーを押し続けると繰り返し同じ電文が送出される。
例えば、４つの記憶領域Ｒ１，Ｒ２，Ｒ３，Ｒ４には次のような電文が登録されているとする。
Ｒ１：ＣＱ　ＴＥＳＴ　ＣＱ　ＴＥＳＴ　ＤＥ　ＪＡ１
Ｒ２：ＵＲ　５ＮＮ＊　ＢＫ
Ｒ３：ＣＦＭ　ＴＵ
Ｒ４：ＱＲＺ？
【００１７】
このような電文が登録され、副表示部に表示されるパターンがＢのパターンに設定されている場合には、副表示部４２には、「ＣＱ　」、「ＵＲ　」、「ＣＦＭ」、「ＱＲＺ」が表示される。
そして、表示された各文字情報に対応したファンクションキーを押すと、そのキー操作に対応して前記登録された内容の電文情報がキーイングデータとして自動的に送出されるのである。
なお、副表示部に表示されるパターンが前記Ｃのパターンに設定されている場合には、「ＣＱ　」に代えて例えば「ＴＥＳ」と表示させることもできる。
このように、単なる識別記号より、電文の先頭から３文字を表示させた方が内容を想起しやすく、さらに、電文の途中に特徴的な文字があれば、その部分を表示させた方がさらに内容を想起しやすくなるのである。
【００１８】
以上のようにして、副表示部４２にて表示する文字情報は、単なる識別記号だけでなく、登録された定型の電文の一部分の３文字を表示させることもできるので、メモリキーヤで送出する定型の電文を間違いなく迅速に選択・指定することができるのである。
なお、副表示部に表示させる文字情報としては３文字に限らず、表示部の仕様に応じて増減させることができることは言うまでもない。
また、記憶領域を増やして、登録できる電文の種類を増やしてもよい。
【００１９】
【発明の効果】
以上の構成の請求項１のメモリキーヤでは、各キー操作に対応する記憶領域に記憶された電文情報中の所定数の文字情報を表示して、表示手段において表示されている文字情報から容易に電文の内容が想起されるように構成したので、操作性の優れたメモリキーヤが実現できる。
請求項２では、各キー操作に対応する記憶領域に記憶された電文情報中の先頭から所定数の文字情報を表示するので、電文情報の内容を想起しやすい。
請求項３では、各キー操作に対応する記憶領域に記憶された電文情報中の所望の文字情報を選択・表示するので、電文情報の内容を想起しやすい。
【図面の簡単な説明】
【図１】本発明にかかるメモリキーヤの実施の形態の構成図である。
【図２】前記メモリキーヤにおける表示例を示した図である。
【図３】前記メモリキーヤにおける処理手順の要部のフローチャートである。
【符号の説明】
１　　エレクトロニックキーヤ
２　　制御部
３　　メモリ、記憶領域
Ｒ１，Ｒ２，Ｒ３，Ｒ４・・・記憶領域
４　　表示部、表示手段
４２　副表示部、表示手段
５　　ファンクションキー部、選択手段
Ｆ１　ファンクションキー、選択手段
Ｆ２　ファンクションキー、選択手段
Ｆ３　ファンクションキー、選択手段
Ｆ４　ファンクションキー、選択手段
Ｆ５　ファンクションキー、選択手段
【図１】
2004056722.tif 000003
【図２】
2004056722.tif 000004
【図３】
2004056722.tif 000005